(57)【要約】      （修正有）【課題】ニブラ式切断機により発生した打ち抜き屑が落下飛散するのを防ぎ、切断機へ着脱自在に取り付け可能なニブラ式切断機の切り屑受け箱を提供する。【解決手段】第１のものは、ニブラ式切断機Ｂのツールホルダーに弾性変形により着脱自在とされた箱体であって、弾性変形可能な材料からなり、ツールホルダーに挿入されるようにしたホルダー孔を持ち、該孔の縁から続く略Ｖ字状の切欠きを持つ蓋２と、該蓋を弾性変形により着脱させる箱本体とを備える。第２は、弾性変形可能な材料からなり、ツールホルダーに挿入されるようにしたホルダー孔を持つ蓋と、該蓋を弾性変形により着脱させる箱本体１と、該箱本体内に収容されて前記ツールホルダーに弾性変形により着脱自在とされる固定板とを備える。該固定板は弾性変形可能な材料からなる天板部３１と脚部とを備え、天板部にホルダー孔とその縁から続く略Ｖ字状の切欠き及び該切欠に向かう舌片３１Ｃを持つ。【選択図】図１２
0003147406.tif 000002
【実用新案登録請求の範囲】
【請求項１】
ニブラ式切断機のツールホルダーに弾性変形により着脱自在とされた箱体であって、弾性変形可能な材料からなり、ツールホルダーに挿入されるようにしたホルダー孔を持ち、該孔の縁から続く略Ｖ字状の切欠きを持つ蓋と、該蓋を弾性変形により着脱させる箱本体とを備えたニブラ式切断機の切り屑受け箱。
【請求項２】
ニブラ式切断機のツールホルダーに弾性変形により着脱自在とされた箱体であって、弾性変形可能な材料からなり、ツールホルダーに挿入されるようにしたホルダー孔を持つ蓋と、該蓋を弾性変形により着脱させる箱本体と、該箱本体内に収容されて前記ツールホルダーに弾性変形により着脱自在とされる固定板とを備え、該固定板は、弾性変形可能な材料からなる天板部と脚部とを備え、前記天板部は蓋の内面に沿って展延し、ツールホルダーに挿入されるようにしたホルダー孔を持ち、該孔の縁から続く略Ｖ字状の切欠きを持ち、該切欠きに対し反対側の縁から、該切欠きに向かい、かつ、間隔を存して突出した舌片を持ち、前記脚部は、前記天板部の両側から一体屈曲形成され、前記天板部の天延面に対し鈍角になっているニブラ式切断機の切り屑受け箱。
【考案の詳細な説明】
【技術分野】
【０００１】
本考案は、ニブラ式切断機の切り屑受け箱に関する。
【背景技術】
【０００２】
主に金属板を連続打ち抜きにより切断を行うハンディ切断機であるニブラ式切断機は、被切断材を切断するとき、連続打ち抜きにより発生した打ち抜き屑が発生する。そのままでは屑が落下飛散する状態となる。
【考案の開示】
【考案が解決しようとする課題】
【０００３】
一般的な作業では、この打ち抜き屑を掃き集める等の方法で回収しなければならない。切断屑を落下飛散させず、受け集めるためにビニール袋等を下部に取り付ける方法は簡易ではあるが、袋を針金等で固定する必要があり、取替えが容易でない。また、ビニール袋では穴が開きやすく耐久性に乏しい。
【０００４】
本考案は上記課題を解決し、ニブラ式切断機により発生した打ち抜き屑が落下飛散するのを防ぎ、切断機へ着脱自在に取り付け可能なニブラ式切断機の切り屑受け箱を提供することを目的とする。
【課題を解決するための手段】
【０００５】
本考案の課題解決手段の第１のニブラ式切断機の切り屑受け箱は、ニブラ式切断機のツールホルダーに弾性変形により着脱自在とされた箱体であって、弾性変形可能な材料からなり、ツールホルダーに挿入されるようにしたホルダー孔を持ち、該孔の縁から続く略Ｖ字状の切欠きを持つ蓋と、該蓋を弾性変形により着脱させる箱本体とを備えたことである。
【０００６】
本考案の課題解決手段の第２のニブラ式切断機の切り屑受け箱は、ニブラ式切断機のツールホルダーに弾性変形により着脱自在とされた箱体であって、弾性変形可能な材料からなり、ツールホルダーに挿入されるようにしたホルダー孔を持つ蓋と、該蓋を弾性変形により着脱させる箱本体と、該箱本体内に収容されて前記ツールホルダーに弾性変形により着脱自在とされる固定板とを備える。該固定板は弾性変形可能な材料からなる天板部と脚部とを備え、前記天板部は蓋の内面に沿って展延し、ツールホルダーに挿入されるようにしたホルダー孔を持ち、該孔の縁から続く略Ｖ字状の切欠きを持ち、該切欠きに対し反対側の縁から、該切欠きに向かい、かつ、間隔を存して突出した舌片を持つ。そして、前記脚部は、前記天板部の両側から一体屈曲形成され、前記天板部の天延面に対し鈍角になっていることである。
【考案の効果】
【０００７】
本考案により、ニブラ式切断機により発生した打ち抜き屑が落下飛散するのを防がれる。そして、切断機へ着脱自在に取り付け可能となったので、屑が溜まってきたら、箱本体のみを取り外して屑を捨て、再び箱本体を蓋に装着させれば、切断作業ができる。
【考案を実施するための最良の形態】
【０００８】
以下に、本考案に係るニブラ式切断機の切り屑受け箱の実施形態を、図面に示す一実施例に基づき説明する。
図１ないし図４において、ニブラ式切断機ＢのツールホルダーＢ４に弾性変形により着脱自在とされた切り屑受け箱Ａが示されている。この箱の蓋２は、合成樹脂などの弾性変形可能な材料からなり、ツールホルダーＢ４に挿入されるようにしたホルダー孔２ａを持ち、該孔の縁から続く略Ｖ字状の切欠き２ｂを持つ。箱本体1は合成樹脂などの弾性変形可能な材料からなり、蓋２を弾性変形により着脱させる。
【０００９】
図４のごとく、ニブラ式切断機Ｂにおいて、ハンドルＢ１の内部に回転モーターとクランク軸が内蔵され、これによる往復動がシリンダーＢ２内のピストンを昇降させ、ピストンに取り付けられた動刃Ｂ３がツールホルダーＢ４の受刃Ｂ５の孔を貫通して上下する。そして、蓋２の上面に被切断材料（板材）Ｃを案内させた状態で、切断機Ｂを駆動しつつ矢視Ｄ方向に移動させると、受刃Ｂ５と動刃Ｂ３の間で材料Ｃは打ち抜かれ、その孔が連続することにより、材料Ｃは切断される。
【００１０】
本考案に係る箱Ａの使用に際し、切断機ＢのツールホルダーＢ４に蓋２に設けた孔２ａを通し、次に、この孔２ａと切欠き２ｂにつながる内縁を弾性変形させて取り付ける。次に箱本体１を蓋２に弾性変形で嵌め込み、取り付ける。材料Ｃの打ち抜き片（屑）は箱本体1の内側に貯められる。ある程度の量が溜まれば、箱本体１を蓋２から弾性変形により離脱させ、屑を出し、再び蓋２へ装着させる。
【００１１】
図５ないし図１２に示すものは他の実施例であり、ニブラ式切断機のツールホルダーＢ４に弾性変形により着脱自在とされた箱Ａが示されている。箱Ａの蓋２は弾性変形可能な材料からなり、ツールホルダーＢ４に挿入されるようにしたホルダー孔２ａを持つ。箱本体１は蓋２を弾性変形により着脱させる。そして、箱本体１内に固定板３が収容されて、前記ツールホルダーＢ４に弾性変形により着脱自在とされる。
【００１２】
該固定板３は弾性変形可能な材料からなり、天板部３１と脚部３２とを備える。前記天板部３１は蓋２の内面に沿って展延し、ツールホルダーＢ４に挿入されるようにしたホルダー孔３１aを持ち、該孔の縁から続く略Ｖ字状の切欠き３１ｂを持ち、また、該切欠きに対し反対側の縁から、該切欠きに向かい、かつ、間隔を存して突出した舌片３１ｃを持つ。前記脚部３２は、前記天板部の両側から一体屈曲形成され、前記天板部の展延面に対し鈍角になっている。
【００１３】
図１２のごとく、ニブラ式切断機Ｂにおいて、ハンドルＢ１の内部に回転モーターとクランク軸が内蔵され、これによる往復動がシリンダーＢ２内のピストンを昇降させ、ピストンに取り付けられた動刃Ｂ３がツールホルダーＢ４の受刃Ｂ５の孔を貫通して上下する。そして、蓋２の上面に被切断材料（板材）Ｃを案内させた状態で、切断機Ｂを駆動しつつ矢視Ｄ方向に移動させると、受刃Ｂ５と動刃Ｂ３の間で材料Ｃは打ち抜かれ、その孔が連続することにより、材料は切断される。
【００１４】
箱Ａの使用に際し、先ず、切断機ＢのツールホルダーＢ４に蓋２に設けた孔２ａを通す。次に、固定板３に設けた孔３１ａを嵌め込み、孔３１ａと切欠き３１ｂにつながる内縁および舌片３１ｃを弾性変形させて取り付ける。次に箱本体１を蓋２に弾性変形で嵌め込み、取り付ける。材料Ｃの打ち抜き片は箱本体１の内側に貯められる。
【００１５】
前記一実施例では、ツールホルダーＢ４を通した後で、蓋２をスライドさせて固定するため、スライドする分だけ隙間が出来てしまう。固定板３があれば、蓋にはツールホルダーＢ４を通すだけの孔があれば良い。スライドさせて固定する役割は固定板３が担うから、蓋の隙間がなく安定して、使い易い。固定板の材質は、厚手の紙やベーク板などでも良い。
【００１６】
本考案は前記した実施例や実施態様に限定されず、実用新案登録請求の範囲および考案の範囲を逸脱せずに種々の変形を含む。
【産業上の利用可能性】
【００１７】
本考案は、ニブラ式切断機の切り屑受け箱に利用される。
【図面の簡単な説明】
【００１８】
【図１】本考案一実施例の平面図である。
【図２】本考案一実施例の正面図である。
【図３】図２のＹ３−Ｙ３断面図である。
【図４】一実施例の使用状態説明図である。
【図５】本考案の他の実施例の平面図である。
【図６】本考案の他の実施例の正面図である。
【図７】図６のＹ７−Ｙ７断面図である。
【図８】固定板の平面図である。
【図９】固定板の正面図である。
【図１０】図９のＹ１０−Ｙ１０断面図である。
【図１１】図８のＸ１１−Ｘ１１断面図である。
【図１２】本考案の他の実施例の使用状態説明図である。
【符号の説明】
【００１９】
Ａ  切り屑受け箱
Ｂ  切断機
Ｃ  鋼帯
１  箱本体
２  蓋
２ａ  ホルダー孔
２ｂ  切欠き
３  固定板
３１  天板部
３１ａ  ホルダー孔
３１ｂ  切欠き
３１ｃ  舌片
３２  脚部
【図１】
0003147406.tif 000003
【図２】
0003147406.tif 000004
【図３】
0003147406.tif 000005
【図４】
0003147406.tif 000006
【図５】
0003147406.tif 000007
【図６】
0003147406.tif 000008
【図７】
0003147406.tif 000009
【図８】
0003147406.tif 000010
【図９】
0003147406.tif 000011
【図１０】
0003147406.tif 000012
【図１１】
0003147406.tif 000013
【図１２】
0003147406.tif 000014